【事件の表示】
　特願２０００−　１４９６４「撮像装置」拒絶査定不服審判事件〔平成１３年　７月２７日出願公開、特開２００１−２０３９３４〕について、次のとおり審決する。
【結　論】
　本件審判の請求は、成り立たない。
【理　由】
第一　経緯
１　手続
　本願は、平成１２年１月２４日の出願であって、平成１７年１１月４日付けで拒絶査定された。
　本件は、本願についてされた上記拒絶査定を不服とする平成１７年１２月８日の審判請求であり、平成１８年１月６日付けで手続補正書が提出された。
　
２　査定
　原査定の理由は概略、以下のとおりである。
　
　　　　　　　　　　　　　　　理　由
　本願の請求項１ないし１０に係る発明は、下記刊行物１に記載された発明及び周知技術に基づいて当業者が容易に発明をすることができたものであるから、特許法第２９条第２項の規定により特許を受けることができない。
　
　　　　　　　　　　　　　　　　記
刊行物１：特開平１１−３２６７７９号公報
周知例２：特開平１０−１７８６１５号公報
周知例３：特開平１０−７９８７４号公報
周知例４：特開平９−３１９８６５号公報
周知例５：特開平９−２３３４２１号公報
周知例６：特開平６−５４２８６号公報
　
　
第二　補正却下の決定
　平成１８年１月６日付けの手続補正について以下の通り決定する。
　
［結論］
　平成１８年１月６日付けの手続補正を却下する。
　
［理由］
１　平成１８年１月６日付けの手続補正（以下「本件補正」という）の内容
　本件補正は、本件補正前、平成１７年１０月１７日付け手続補正書により補正された請求項１ないし４についてする補正であり、請求項１ないし４にそれぞれ、請求項５及び７の構成を付加するとともに、「操作部」について「選択した画像データの圧縮率を設定する」との限定を付加し、同じく「制御部」について「前記操作部により選択された画像データのみを、該操作部で設定された圧縮率となるように前記圧縮部で圧縮し前記記録部に記録する」との限定を付加するものである。
　なお、本件補正前の請求項５は請求項１ないし４をそれぞれ引用しており、本件補正前の請求項７は請求項１ないし６をそれぞれ引用している。また、本件補正前の請求項５及び７は、本件補正により削除され、それに伴い、従属請求項の項番号が繰り上げられている。
　
２　補正の適合性
（１）補正の範囲（第１７条の２第３項）
　本件補正は、願書に最初に添付した明細書又は図面の記載に基づくものであるから、願書に最初に添付した明細書又は図面に記載した事項の範囲内においてする補正である。
　
（２）補正の目的（第１７条の２第４項第１号〜第４号）
　本件補正は、請求項１ないし４にそれぞれ、請求項５及び７の構成を付加するとともに、さらに「操作部」及び「制御部」を限定したものであるから、本件補正前の請求項１ないし４をそれぞれ引用する請求項５をさらに引用する請求項７の「操作部」及び「制御部」を限定するものといえる。
　そして、補正の前後において産業上の利用分野及び解決しようとする課題は同一である。
　本件補正は、請求項の削除及び特許請求の範囲の減縮に該当する。
　
（３）独立特許要件（第１７条の２第５項）
　本件補正は、特許請求の範囲の減縮を目的とするものである。そこで検討する。
　
ア　補正後の本願発明
　本件補正後の請求項２に記載される発明（以下「本件補正発明」という）は、以下のとおりのものである。
　
　「被写体を撮像し画像データとして入力する入力部と、
　当該入力部より入力された入力画像データに対して画像処理を施す画像処理部と、
　当該画像処理部による処理済みデータを蓄積する画像蓄積部と、
　前記入力部より同一被写体を連続撮像して得られた複数の入力画像データに対して各々ガンマ変換係数を変更した画像処理を施し、得られた複数の処理済みデータを前記画像蓄積部に蓄積するように前記各部を制御する制御部と、
　前記画像蓄積部に蓄積した画像データを表示する表示部と、
　当該表示部に表示された画像データの中から任意の画像データを選択し、選択した画像データの圧縮率を設定するための操作部と、
　画像データを保存するための記録部と、
　前記画像蓄積部に蓄積した画像データを圧縮する圧縮部と
を備え、
　前記制御部は前記操作部により選択された画像データのみを、該操作部で設定された圧縮率となるように前記圧縮部で圧縮し前記記録部に記録すること
を特徴とする撮像装置。」
　
　
イ　刊行物
（ア）刊行物の記載
　本願出願前に頒布された刊行物である特開平１１−１５０６７９号公報（以下「刊行物Ａ」という）には、図面と共に、下記の技術事項が記載されている。
　
ａ「・・・制御回路１４に制御された絞り駆動装置７によって、所定の絞り値に設定された後、ＣＣＤ９によりレンズ１、絞り２、およびハーフミラー３を介して入射する被写体からの光が光電変換される。光電変換された電気信号は、信号処理回路１１において補正処理が施された後、所定のメモリに記憶され、１枚目のブラケティング撮影が行われる。次に、絞り値が変更された後、２枚目の撮影が行われ、さらに、絞り値が変更された後、３枚目の撮影が行われる。絞り値の変更がメカニカルな制限を受ける場合、制御回路１４は、ＣＣＤ９のゲインを変化させたり、ガンマ特性を変えて撮影を行う。」（【要約】）
　
ｂ「【発明の属する技術分野】本発明は、撮像装置および記録媒体に関し、例えば、メカニカルな制限を受ける場合でも、ブラケティング撮影が可能な撮像装置および記録媒体に関する。
【従来の技術】デジタルカメラ等の撮像装置は、ＣＣＤ(charge coupled device)等の撮像素子によって被写体像を撮像し、撮影結果である画像データをデジタル変換した後、メモリカード等の記録媒体に記録する。記録されたデータに対応する画像は、デジタルカメラに外部接続されたモニタに表示されるか、デジタルカメラに内蔵されている液晶ディスプレイ等のモニタに表示される。
また、上記デジタルカメラには、絞り値等を所定の補正ステップ毎に変化させて複数の画像を撮影するブラケティング撮影が可能なものがある。
【発明が解決しようとする課題】しかしながら、絞りやシャッタ等のメカニカルな制限のために、ブラケティング撮影を行うことができない場合がある課題があった。
本発明はこのような状況に鑑みてなされたものであり、メカニカルな制限があっても、ブラケティング撮影を行うことができるようにするものである。」（段落【０００１】〜【０００５】）
　
ｃ「コマンドダイヤル３３は、エンドレスに回転させることができるとともに、クリック動作ができるようになされている。・・・」（段落【００３２】）
　
ｄ「レリーズ釦３４は、半押しすると図７を参照して後述するスイッチ１７がオンにされ、制御回路１４によりフォーカス制御が行われる。また、全押しすると、レリーズするようになされている。表示装置（外部ＬＣＤ(liquid crystal display)パネル）１５は、図４に示すように、各種の情報を表示するようになされている。表示領域Ａには圧縮モードが、・・・それぞれ表示される。・・・」（段落【００３４】）
　
ｅ「図７は、図１乃至図６に示した電子スチルカメラの詳細な構成例を示すブロック図である。レンズ１は、被写体からの光束を集束するようになされている。絞り２は、レンズ１からの光束の光量を調節するようになされている。・・・」（段落【００３７】）
　
ｆ「絞り駆動回路７は、絞り２の絞り量を変更するようになされている。シャッタ駆動回路８は、シャッタ５の開閉を制御するようになされている。ＣＣＤ(charge coupled device)９は、シャッタ５の開閉に応じて被写体からの光束を受光し、受光量に応じた信号電荷を蓄積するとともに、蓄積した信号電荷を画像データとして出力するようになされている。ＣＣＤ駆動回路１０は、ＣＣＤ９による電荷蓄積および電荷転送を制御するようになされている。信号処理回路１１は、ＣＣＤ９から出力された画像データに対して、ホワイトバランス調整、γ補正、および輪郭補正等の補正処理を施すようになされている。」（段落【００３８】）
　
ｇ「フレームメモリ５１は、信号処理回路１１において補正処理された画像データを一時的に記憶するようになされている。圧縮伸張回路１２は、フレームメモリ５１からの画像データを、例えばＪＰＥＧ(Joint Photographic Experts Group)等の方式により圧縮し、メモリカード１３に供給するようになされている。また、メモリカード１３より読み出された画像データを伸張し、コネクタ５５に接続された外部のモニタ５６に出力するようになされている。メモリカード１３は、圧縮伸張回路１２より供給された画像データを記憶したり、記憶した画像データを圧縮伸張回路１２に供給するようになされている。」（段落【００３９】）
　
ｈ「制御回路１４は、絞り駆動回路７、シャッタ駆動回路８、ＣＣＤ駆動回路１０等を制御するとともに、露出演算等の演算処理を行うようになされている。・・・」（段落【００４０】）
　
ｉ「図１３は、撮影する画像に合わせてガンマ特性を変えて撮影する手順を示すフローチャートである。最初に、ステップＳ６１において、制御回路１４は、カメラ各部に電力を供給する。次に、ステップＳ６２において、ブラケティングの方法等の撮影動作の設定を行う。次に、ステップＳ６３において、露出ブラケティング、即ち、露出値を制御してブラケティングを行うか否かが判定される。露出ブラケティングであると判定された場合、ステップＳ６６に進み、補正ステップ等の設定が行われる。」（段落【００８０】）
　
ｊ「一方、露出ブラケティングではないと判定された場合、ステップＳ６４に進み、ガンマブラケティング、即ち、ガンマ特性を変えてブラケティングを行うか否かが判定される。ガンマブラケティングであると判定された場合、例えば、図１４に示すようないくつかのガンマ特性の中から、所定のガンマ特性を表すガンマテーブルが選択される。この選択は、制御回路１４により、撮影する画像が暗い部分の多い画像であるか、明るい部分の多い画像であるか、あるいは、逆光であるか等により行われるようすることができる。」（段落【００８１】）
　
ｋ「ステップＳ６５における処理が終了した場合、または、ステップＳ６４において、ガンマブラケティングではないと判定された場合、または、ステップＳ６６における処理が終了した場合、ステップＳ６７に進む。」（段落【００８２】）
　
ｌ「ステップＳ６７においては、撮影者により、レリーズ釦３４が押され、撮影が行われる。次に、ステップＳ６８に進み、ステップＳ６７において行われた撮影がブラケティング撮影であるか否か、またはブラケティング撮影終了か否かが判定される。ブラケティング撮影ではない、またはブラケティング撮影終了と判定された場合、処理を終了する。一方、ブラケティング撮影である、またはブラケティング撮影続行と判定された場合、ステップＳ６９に進む。」（段落【００８３】）
　
ｍ「ステップＳ６９においては、ステップＳ６７で行われたブラケティング撮影がガンマブラケティングであるか否かが判定される。ガンマブラケティングであると判定された場合、ステップＳ７０に進み、ガンマテーブルがステップＳ６５において選択されたガンマテーブルに変更される。一方、ガンマブラケティングではないと判定された場合、ステップＳ７１に進み、露光条件が変更される。ステップＳ７０、またはステップＳ７１における処理が終了すると、ステップＳ６７に戻り、ステップＳ６７以降の処理が繰り返し実行される。」（段落【００８４】）
　
ｎ「通常のブラケティングは、露出制御値、つまり、絞り値とシャッタ速度のいずれかを変化させて行う。また、ガンマ特性を変化させると、所望の階調を得ることができる。ＣＣＤ９のゲインを変化させると画面全体が変化するので、よりよい階調を得るために、ガンマ特性を変化させるようにしている。」（段落【００８５】）
　
ｏ「図１５は、ブラケティング撮影が終了した後、プレビュー画面の中の選択された画像を記録する手順を示すフローチャートである。最初に、ステップＳ８１において、１枚目のブラケティング撮影が行われる。次に、ステップＳ８２において、ステップＳ８１において撮影された１枚目の画像がフレームメモリ５１に記憶される。」（段落【００８７】）
　
ｐ「次に、ステップＳ８３において、２枚目のブラケティング撮影が行われる。次に、ステップＳ８４において、ステップＳ８３においてブラケティング撮影された２枚目の画像がフレームメモリ５１に記憶される。ステップＳ８５においては、３枚目のブラケティング撮影が行われ、ステップＳ８６において、ステップＳ８５においてブラケティング撮影された３枚目の画像がフレームメモリ５１に記憶される。」（段落【００８８】）
　
ｑ「次に、ステップＳ８７において、制御回路１４の制御により、ブラケティング撮影された上記３枚分の画像に対応する画像データがモニタ５６に供給され、表示される。このとき、例えば、図１６に示すように、モニタ５６の画面が分割され、分割された各表示領域に３枚の画像が順次表示される。そして、ステップＳ８８において、所定の画像にカーソルが点滅表示される。この例の場合、最初の画像（＋補正で撮影された画像）にカーソルが表示されている。」（段落【００８９】）
　
ｒ「ステップＳ８９においては、選択スイッチとしてのコマンドダイヤル３３が押されたか否かが判定される。コマンドダイヤル３３が押されたと判定された場合、ステップＳ９０に進み、現在、カーソルが点滅表示されているか否かが判定される。カーソルが点滅表示されていると判定された場合、ステップＳ９１に進み、点滅表示されているカーソルが点灯表示されるように制御される。これにより、カーソルの位置する画像が選択される。一方、カーソルが点滅表示されていないと判定された場合、ステップＳ９２に進み、点灯表示されているカーソルが点滅表示されるように制御される。これにより、カーソルの位置する画像の選択が取り消される。」（段落【００９０】）
　
ｓ「ステップＳ８９において、コマンドダイヤル３３が押されていないと判定された場合、または、ステップＳ９１における処理が終了した場合、またはステップＳ９２における処理が終了した場合、ステップＳ９３に進む。ステップＳ９３においては、記録釦が押されたか否かが判定される。この記録釦は、例えば、レリーズ釦３４等の既存の釦で代用することもできるし、新たに記録釦を設けるようにすることもできる。ここでは、レリーズ釦３４を記録釦として用いるものとする。」（段落【００９１】）
　
ｔ「レリーズ釦３４が押されていないと判定された場合、ステップＳ９４に進み、コマンドダイヤル３３が回されたか否かが判定される。コマンドダイヤルが回されたと判定された場合、ステップＳ９５に進み、制御回路１４により次の画像にカーソルが移動するように制御される。従って、コマンドダイヤル３３を所定の回数だけ回すことにより、例えば、図１７に示すように、カーソルを右端の画像（−補正において撮影された画像）に位置づけることができる。」（段落【００９２】）
　
ｕ「ステップＳ９５における処理が終了した場合、または、ステップＳ９４において、コマンドダイヤル３３が回されていないと判定された場合、ステップＳ８９に戻り、ステップＳ８９以降の処理が繰り返し実行される。」（段落【００９３】）
　
ｖ「また、ステップＳ９３においてレリーズ釦３４が押された判定された場合、ステップＳ９６に進み、カーソルが点灯している画像がメモリカード１３に記録され、処理を終了する。」（段落【００９４】）
　
ｗ「このように、カーソルが点滅している状態で、コマンドダイヤル３３を左右に回すことにより、所望の画像の上側にカーソルを位置づけ、コマンドダイヤル３３を押すことにより、その画像を選択することができる。これにより、カーソルは点灯し、その画像が選択されたことが示される。次に、レリーズ釦３４を押すことにより、点灯しているカーソルの下にある画像がメモリカード１３に記録される。」（段落【００９５】）
　
ｘ「Ａ」として、「ＰＩＣ　ＱＬＴＹ」の中に「Ｆｉｎｅ」、「Ｎｏｒｍａｌ」、「Ｅｃｏｎｏｍｙ」（【図４】）
　
（イ）刊行物に記載された発明
ａ　撮像装置
　上記（ア）ｂの記載によれば、刊行物Ａには、撮像装置が記載されているといえる。
　
ｂ　ＣＣＤ９
　上記（ア）ｆの記載によれば、ＣＣＤ９は、シャッタ５の開閉に応じて被写体からの光束を受光し、受光量に応じた信号電荷を蓄積するとともに、蓄積した信号電荷を画像データとして出力するようになされており、刊行物Ａには、被写体からの光束を受光し、受光量に応じて蓄積した信号電荷を画像データとして出力するＣＣＤ９が記載されているといえる。
　
ｃ　信号処理部回路１１
　上記（ア）ｆの記載によれば、信号処理回路１１は、ＣＣＤ９から出力された画像データに対して、ホワイトバランス調整、γ補正、および輪郭補正等の補正処理を施すようになされており、刊行物Ａには、当該ＣＣＤ９より入力された画像データに対してホワイトバランス調整、γ補正、および輪郭補正等の補正処理を施す信号処理回路１１が記載されているといえる。
　
ｄ　フレームメモリ５１
　上記（ア）ｇの記載によれば、フレームメモリ５１は、信号処理回路１１において補正処理された画像データを一時的に記憶するようになされており、刊行物Ａには、当該信号処理回路１１において補正処理された画像データを記憶するフレームメモリ５１が記載されているといえる。
　
ｅ　制御回路１４（その１）
　上記（ア）ｈの記載によれば、制御回路１４は、絞り駆動回路７、シャッタ駆動回路８、ＣＣＤ駆動回路１０等を制御するとされている。また、上記（ア）ａ〜ｂ、ｉ〜ｎの記載によれば、同一被写体を連続撮像して得られた複数の画像データに対して各々ガンマ特性を換えて補正処理を施すブラケティング撮影を行うとされており、さらに、上記（ア）ｏ〜ｐの記載によれば、ステップＳ８１〜Ｓ８６において、ブラケティング撮影によって得られた３枚の画像をフレームメモリ５１に記憶するとされている。よって、以上を総合勘案すると、刊行物Ａには、前記ＣＣＤ９より同一被写体を連続撮像して得られた複数の画像データに対して各々ガンマ特性を換えて補正処理を施し、得られた複数の補正処理された画像データを前記フレームメモリ５１に記憶するように前記各部を制御する制御回路１４が記載されているといえる。
　
ｆ　モニタ５６
　上記（ア）ｑの記載によれば、ブラケティング撮影された上記３枚分の画像に対応する画像データがモニタ５６に供給されており、また、上記（イ）ｅのようにブラケティング撮影で得られた画像データはフレームメモリ５１に記憶されているのであるから、刊行物Ａには、前記フレームメモリ５１に記憶した画像データを表示するモニタ５６が記載されているといえる。
　
ｇ　コマンドダイヤル３３及びレリーズ釦３４
　上記（ア）ｃ〜ｄの記載によれば、コマンドダイヤル３３及びレリーズ釦３４を備えており、また、上記（ア）ｏ〜ｕの記載によれば、ステップＳ８１〜Ｓ８６において、連続撮影された３枚の画像データを順次フレームメモリ５１に記憶し、ステップＳ８７〜Ｓ９５において、フレームメモリ５１に記憶した画像データをモニタ５６に表示させ、モニタ５６に表示された３枚の画像データの中から、コマンドダイヤル３３及びレリーズ釦３４によって、任意の一つを選択するものである。よって、以上を総合勘案すると、刊行物Ａには、当該モニタ５６に表示された画像データの中から任意の画像データを選択するためのコマンドダイヤル３３及びレリーズ釦３４が記載されているといえる。
　
ｈ　メモリカード１３
　上記（ア）ｇの記載によれば、圧縮された画像データをメモリカード１３に供給するとされており、また、上記（ア）ｖ、ｗの記載によれば、カーソルが点灯している画像がメモリカード１３に記録されるものであるから、刊行物Ａには、画像データを記録するためのメモリカード１３が記載されているといえる。
　
ｉ　圧縮伸長回路１２
　上記（ア）ｇの記載によれば、圧縮伸張回路１２は、フレームメモリ５１からの画像データを、例えばＪＰＥＧ(Joint Photographic Experts Group)等の方式により圧縮し、メモリカード１３に供給するとされているから、刊行物Ａには、前記フレームメモリ５１に記憶した画像データを圧縮する圧縮伸長回路１２が記載されているといえる。
　
ｊ　制御回路１４（その２）
　上記（イ）ｅ、ｇ〜ｉによれば、制御回路１４は、フレームメモリ５１に記憶された画像データの中から、コマンドダイヤル３３及びレリーズ釦３４によって記録対象として選択された画像データを、圧縮伸長回路１２で圧縮しメモリカード１３に記録するものである。また、上記（ア）ｄ、ｘの記載によれば、画像データの圧縮モードが、少なくとも「Ｆｉｎｅ」、「Ｎｏｒｍａｌ」、「Ｅｃｏｎｏｍｙ」の３種類から設定できるものであるといえる。よって、以上を総合勘案すると、刊行物Ａの制御回路１４は前記コマンドダイヤル３３及びレリーズ釦３４により選択された画像データのみを、設定された圧縮モードによって前記圧縮伸長回路１２で圧縮し前記メモリカード１３に記録するものといえる。
　
ｋ　まとめ
　上記（イ）ａ〜ｊ及び図１〜１７によれば、刊行物Ａに記載された発明（以下「刊行物Ａ発明」という）として、以下のとおりのものを認定することができる。
　
「被写体からの光束を受光し、受光量に応じて蓄積した信号電荷を画像データとして出力するＣＣＤ９と、
　当該ＣＣＤ９より入力された画像データに対してホワイトバランス調整、γ補正、および輪郭補正等の補正処理を施す信号処理回路１１と、
　当該信号処理回路１１において補正処理された画像データを記憶するフレームメモリ５１と、
　前記ＣＣＤ９より同一被写体を連続撮像して得られた複数の画像データに対して各々ガンマ特性を換えて補正処理を施し、得られた複数の補正処理された画像データを前記フレームメモリ５１に記憶するように前記各部を制御する制御回路１４と、
　前記フレームメモリ５１に記憶した画像データを表示するモニタ５６と、
　当該モニタ５６に表示された画像データの中から任意の画像データを選択するためのコマンドダイヤル３３及びレリーズ釦３４と、
　画像データを記録するためのメモリカード１３と、
　前記フレームメモリ５１に記憶した画像データを圧縮する圧縮伸長回路１２と
を備え、
　前記制御回路１４は前記コマンドダイヤル３３及びレリーズ釦３４により選択された画像データのみを、設定された圧縮モードによって前記圧縮伸長回路１２で圧縮し前記メモリカード１３に記録する撮像装置。」
　
　
ウ　対比
　本件補正発明と刊行物Ａ発明とを対比する。
（ア）入力部
　刊行物Ａ発明の「被写体からの光束を受光し、受光量に応じて蓄積した信号電荷を画像データとして出力するＣＣＤ９」は、本件補正発明の「被写体を撮像し画像データとして入力する入力部」に相当する。
　
（イ）画像処理部
　刊行物Ａ発明の「当該ＣＣＤ９より入力された画像データに対してホワイトバランス調整、γ補正、および輪郭補正等の補正処理を施す信号処理回路１１」は、本件補正発明の「当該入力部より入力された入力画像データに対して画像処理を施す画像処理部」に相当する。
　
（ウ）画像蓄積部
　刊行物Ａ発明の「当該画像処理回路１１において補正処理された画像データを記憶するフレームメモリ５１」は、本件補正発明の「当該画像処理部による処理済みデータを蓄積する画像蓄積部」に相当する。
　
（エ）制御部（その１）
　刊行物Ａ発明の「前記ＣＣＤ９より同一被写体を連続撮像して得られた複数の画像データに対して各々ガンマ特性を換えて補正処理を施し、得られた複数の補正処理された画像データを前記フレームメモリ５１に記憶するように前記各部を制御する制御回路１４」は、本件補正発明の「前記入力部より同一被写体を連続撮像して得られた複数の入力画像データに対して各々ガンマ変換係数を変更した画像処理を施し、得られた複数の処理済みデータを前記画像蓄積部に蓄積するように前記各部を制御する制御部」に相当する。
　
（オ）表示部
　刊行物Ａ発明の「前記フレームメモリ５１に記憶した画像データを表示するモニタ５６」は、本件補正発明の「前記画像蓄積部に蓄積した画像データを表示する表示部」に相当する。
　
（カ）操作部
　刊行物Ａ発明の「当該モニタ５６に表示された画像データの中から任意の画像データを選択するためのコマンドダイヤル３３及びレリーズ釦３４」は、本件補正発明の「当該表示部に表示された画像データの中から任意の画像データを選択し、選択した画像データの圧縮率を設定するための操作部」に相当する。もっとも、刊行物Ａ発明では、操作部が「選択した画像データの圧縮率を設定する」点に関する記載がない点で相違がある。
　
（キ）記録部
　刊行物Ａ発明の「画像データを記録するためのメモリカード１３」は、本件補正発明の「画像データを保存するための記録部」に相当する。
　
（ク）圧縮部
　刊行物Ａ発明の「前記フレームメモリ５１に記憶した画像データを圧縮する圧縮伸長回路１２」は、本件補正発明の「前記画像蓄積部に蓄積した画像データを圧縮する圧縮部」に相当する。
　
（ケ）制御部（その２）
　刊行物Ａ発明の「前記制御回路１４は前記コマンドダイヤル３３及びレリーズ釦３４により選択された画像データのみを、設定された圧縮モードによって前記圧縮伸長回路１２で圧縮し前記メモリカード１３に記録する」は、本件補正発明の「前記制御部は前記操作部により選択された画像データのみを、該操作部で設定された圧縮率となるように前記圧縮部で圧縮し前記記録部に記録する」に相当する。もっとも、刊行物Ａ発明では、制御部が「該操作部で設定された圧縮率となるように」圧縮部で圧縮する点に関する記載がない点で相違がある。
　
（コ）一致点、相違点
　したがって、本件補正発明と刊行物Ａ発明とは、
［一致点］
「被写体を撮像し画像データとして入力する入力部と、
　当該入力部より入力された入力画像データに対して画像処理を施す画像処理部と、
　当該画像処理部による処理済みデータを蓄積する画像蓄積部と、
　前記入力部より同一被写体を連続撮像して得られた複数の入力画像データに対して各々ガンマ変換係数を変更した画像処理を施し、得られた複数の処理済みデータを前記画像蓄積部に蓄積するように前記各部を制御する制御部と、
　前記画像蓄積部に蓄積した画像データを表示する表示部と、
　当該表示部に表示された画像データの中から任意の画像データを選択するための操作部と、
　画像データを保存するための記録部と、
　前記画像蓄積部に蓄積した画像データを圧縮する圧縮部と
を備え、
　前記制御部は前記操作部により選択された画像データのみを、前記圧縮部で圧縮し前記記録部に記録すること
を特徴とする撮像装置。」である点で一致し、以下の点で相違している。
　
［相違点］
　本件補正発明では、操作部が「選択した画像データの圧縮率を設定」し、制御部が「該操作部で設定された圧縮率となるように」圧縮部で圧縮するのに対し、刊行物Ａ発明では、そのような記載がない点。
　
エ　判断
　上記相違点について検討する。
　デジタルカメラ等の撮像装置において、撮像した画像データの圧縮率を設定し、設定された圧縮率となるように圧縮することは、周知である（例えば、上記周知例２である特開平１０−１７８６１５号公報の段落【００２３】〜【００５１】、図１〜２、図５等参照）から、操作部が「選択した画像データの圧縮率を設定」し、制御部が「該操作部で設定された圧縮率となるように」圧縮部で圧縮することは当業者が容易に想到し得たことである。
　
オ　効果
　本件補正発明の効果は、上記刊行物Ａ及び周知技術から当業者が予測できる範囲のものである。
　
カ　まとめ（独立特許要件）
　以上によれば、本件補正発明は、上記刊行物Ａに記載された発明及び周知技術に基づいて当業者が容易に発明をすることができたものであるから、特許法第２９条第２項の規定により、特許出願の際独立して特許を受けることができない。
　したがって、本件補正は、特許法第１７条の２第５項において準用する同法第１２６条第５項の規定に適合しない。
　
（４）むすび
　以上のとおり、本件補正は、特許法第１７条の２第５項の規定に違反するものであるから、特許法第１５９条第１項の規定において読み替えて準用する同法第５３条第１項の規定により却下すべきものである。
　
　
第三　本願発明
　平成１８年１月６日付の手続補正は上記のとおり却下する。
　本願の請求項１〜１０に係る発明は、平成１７年１０月１７日付け手続補正書により補正された特許請求の範囲の請求項１〜１０に記載される発明のとおりであるところ、そのうち請求項２に係る発明（以下「本願発明」という）は、平成１７年１０月１７日付け手続補正書により補正された特許請求の範囲の請求項２に記載される事項により特定される、以下のとおりのものである。
　
　「被写体を撮像し画像データとして入力する入力部と、
　当該入力部より入力された入力画像データに対して画像処理を施す画像処理部と、
　当該画像処理部による処理済みデータを蓄積する画像蓄積部と、
　前記入力部より同一被写体を連続撮像して得られた複数の入力画像データに対して各々ガンマ変換係数を変更した画像処理を施し、得られた複数の処理済みデータを前記画像蓄積部に蓄積するように上記各部を制御する制御部と、
を備えたことを特徴とする撮像装置。」
　
　
第四　査定の検討
１　刊行物
（１）刊行物の記載
　原査定の拒絶の理由に引用された刊行物１（特開平１１−３２６７７９号公報）には、図面と共に、下記の技術事項が記載されている。
　
ア「【発明の属する技術分野】本発明は顕微鏡システムの制御方式に関する。」（段落【０００１】）
　
イ「・・・本発明においては、撮像後の処理を不要とし、最小限の作業で最適な画像を得ることが可能な顕微鏡システムを提供することを目的とする。」（段落【０００６】）
　
ウ「・・・図１に示すように、第1実施形態における顕微鏡システム１は、被写体である試料を拡大する顕微鏡１１０と、試料を撮像するＤＳＣ２１０と、ＤＳＣ２１０が撮像した画像の表示および記録および、顕微鏡システム１の操作を行うパーソナルコンピュータ（以後、ＰＣと省略する。）３００とから構成されている。」（段落【００１２】）
　
エ「ＣＣＤ２０１は、被写体の像を撮像し、アナログの画像信号に変換して出力する光電変換素子である。ＣＣＤ２０１で変換された画像信号はＣＤＳ回路２０２に出力される。ＣＤＳ回路２０２は、ＣＣＤ２０１から出力されたアナログ画像信号に対して相関二重サンプリングの処理を施す回路である。処理の施されたアナログ画像信号は、ＡＧＣ回路２０３に出力される。」（段落【００１８】）
　
オ「ＡＧＣ回路２０３は、ＣＤＳ回路２０２から出力されたアナログ画像信号に対して、所定量の利得増幅を自動で行う増幅回路である。ＡＧＣ回路２０３は、画像の明るさが略均一となるようにアナログ画像信号の利得を増幅する。ＡＧＣ回路２０３は、ＲＧＢ各色成分毎に独立して利得を増幅する。ＡＧＣ回路２０３における利得増幅量は、ＣＰＵ２０７によって制御される。」（段落【００１９】
　
カ「Ａ／Ｄ変換器２０４は、ＡＧＣ回路２０３から出力されたアナログ画像信号をデジタル画像信号に変換する。Ａ／Ｄ変換器２０４で変換されたデジタル画像信号はＤＳＰ回路２０５に出力される。ＤＳＰ回路２０５は、Ａ／Ｄ変換器２０４から出力されたデジタル画像信号に対してガンマ変換やホワイトバランス処理等のデジタル信号処理を施す信号処理回路である。信号処理の施されたデジタル画像信号は通信Ｉ／Ｆ２０６に出力される。」（段落【００２０】）
　
キ「ＣＰＵ２０７は、ＤＳＣ２１０内の各構成を制御する制御回路である。ＣＰＵ２０７は、後述するＰＣ３００において設定される撮影条件設定を通信Ｉ／Ｆ２０６を介して受信し、受信した撮影条件設定に基づいて、ＡＧＣ回路２０３におけるＲＧＢ各色成分の利得増幅量を制御する。またＣＰＵ２０７は、ＣＰＵ３０１で設定される撮影回数に基づいて、ＣＣＤ２０１に連続的に撮像させる。」（段落【００２２】）
　
ク「ＣＰＵ３０１はＰＣ３００内の各構成を制御する制御回路である。ＣＰＵ３０１は後述するキーボードドライバ３０３から出力された信号をＤＳＣ２１０の制御命令に変換し、通信Ｉ／Ｆ３０７に出力する。またＣＰＵ３０１は、使用者のキーボード３１０による入力に基づいて、ＡＧＣ回路２０３における利得増幅量を決定するための撮影条件設定を設定し、後述する条件記憶メモリ３０８に記録する。なお撮影条件設定は、ＡＧＣ回路２０３におけるＲＧＢ各色成分の利得増幅度の情報から構成され、連続撮影の回数は利得増幅度情報をＲＧＢで１組として数えた個数により決定される。またＣＰＵ３０１は、設定した撮影条件設定を条件記憶メモリ３０８から読み出して後述する通信Ｉ／Ｆ３０７および２０６を介してＣＰＵ２０７に出力し、ＤＳＣ２１０に撮影条件設定に基づく連続撮影を行わせる。またＣＰＵ３０１は、使用者が後述する表示モニタ３０９上に表示された縮小画像を参照することによって指定した画像に対応するデジタル画像信号を、後述するバッファメモリ３０５から読み出しメモリ３０６に記録させる。」（段落【００２４】）
　
ケ「縮小画像作成回路３０４は、後述するバッファメモリ３０５から出力されるデジタル画像信号から、表示モニタ３０９上において複数同時表示するための縮小画像を作成する。縮小画像作成回路３０４で作成された縮小画像は表示ドライバ３０２に出力される。バッファメモリ３０５は、ＤＳＣ２１０から通信Ｉ／Ｆ２０６および３０７を介して出力されるデジタル画像信号を記録するためのメモリである。バッファメモリ３０５は記録したデジタル画像信号を縮小画像作成回路３０４に出力する。またバッファメモリ３０５は、ＣＰＵ３０１によって指定されたデジタル画像信号をメモリ３０６に出力する。」（段落【００２６】）
　
コ「次に第１実施形態の顕微鏡システムにおけるＣＰＵの制御手順について図４を用いて説明する。なお、第１実施形態の顕微鏡システム１は、ＤＳＣ２１０とＰＣ３００のそれぞれがＣＰＵ２０７およびＣＰＵ３０１を有しているが、ここではこの２つのＣＰＵについてまとめた形で制御手順を説明する。まず、ステップＳ１０１において、初期設定として、撮影回数をカウントするためのフラグＮを０に設定する。ステップＳ１０１の処理が完了するとステップＳ１０２に進む。」（段落【００３４】）
　
サ「まず、ステップＳ１０２において、条件記憶メモリにおける記録の有無を調べることにより、撮影条件設定が設定されたかどうかを判別する。条件記憶メモリに記録が有る場合には、撮影条件設定が設定されていると判別してステップＳ１０３に進む。また、条件記録メモリに記録が無い場合には撮影条件設定が設定されていないとしてステップＳ１０２において待機する。」（段落【００３５】）
　
シ「次に、ステップＳ１０３において、設定された撮影条件設定に基づいてＡＧＣ回路２０３におけるＲＧＢ各色成分の利得増幅度を変更する。ステップＳ１０３の処理が完了するとステップＳ１０４に進む。次に、ステップＳ１０４において、ＣＣＤ２０１に被写体を撮像させる。撮像された被写体の画像信号は、ＡＧＣ回路２０３において撮影条件設定に基づく利得増幅度で増幅された後に通信Ｉ／Ｆ２０６からＰＣ３００に出力される。ステップＳ１０４の処理が完了するとステップＳ１０５に進む。」（段落【００３６】）
　
ス「次に、ステップＳ１０５において、ＤＳＣ２１０から出力されたデジタル画像信号をバッファメモリ３０５に記録させる。ステップＳ１０５の処理が完了するとステップＳ１０６に進む。次に、ステップＳ１０６において、ステップＳ１０５でバッファメモリ３０５に記録させたデジタル画像信号をバッファメモリ３０５から出力させ、表示モニタ３０９上に表示させるる。この際、バッファメモリ３０５から出力されたデジタル画像信号は縮小画像作成回路３０４において表示モニタ３０９に表示するための縮小画像に変換されるため、表示モニタ３０９には撮像した画像信号の縮小画像が表示される。ステップＳ１０６の処理が完了するとステップＳ１０７に進む。」（段落【００３７】）
　
セ「次に、ステップＳ１０７において、撮影回数カウンタ用フラグＮの値を１増加させる。ステップＳ１０７の処理が完了するとステップＳ１０８に進む。次に、ステップＳ１０８において、撮影条件設定で設定された撮影回数の値と撮影回数カウンタ用フラグＮの値とを比較することにより、撮影条件設定において設定された回数の撮影を行ったかどうかを判別する。フラグＮの値が撮影条件設定で設定された撮影回数と等しい場合は、撮影条件設定で設定した回数の撮影が行われたと判別してステップＳ１０９に進む。また、フラグＮの値が撮影条件設定で設定された撮影回数に満たない場合は、撮影条件設定で設定した回数の撮影が行われていないと判別してステップＳ１０３に進み、次の撮影条件にて同様の処理を繰り返す。」（段落【００３８】）
　
（２）刊行物に記載された発明
　上記（１）ア〜セの記載及び図１〜１１によれば、刊行物１に記載された発明（以下「刊行物１発明」という）として、以下のとおりのものを認定することができる。
　
「被写体を撮像しアナログ画像信号に変換して出力するＣＣＤ２０１（上記（１）エ参照）と、
　当該ＣＣＤ２０１より入力されたアナログ画像に対してＲＧＢ各色成分毎に独立して利得を増幅するＡＧＣ回路２０３、ＡＣＧ回路２０３から出力されたアナログ画像信号をデジタル画像信号に変換するＡ／Ｄ変換器２０４、Ａ／Ｄ変換器から出力されたデジタル画像信号に対してガンマ変換やホワイトバランス処理等のデジタル信号処理を施すＤＳＰ回路２０５（上記（１）オ〜カ参照）と、
　当該ＡＧＣ回路２０３、Ａ／Ｄ変換器２０４、ＤＳＰ回路２０５により処理されたデジタル画像信号を記録するバッファメモリ３０５（上記（１）オ〜カ、ケ参照）と、
　前記ＣＣＤ２０１より被写体を連続撮影して得られた複数のアナログ画像信号に対して各々ＲＧＢ各色成分毎の利得増幅度を変更し、当該利得増幅度を変更されたアナログ画像信号をデジタル画像信号に変換し、得られた複数のデジタル画像信号を前記バッファメモリ３０５に記録するように上記各部を制御するＣＰＵ２０７及びＣＰＵ３０１（上記（１）キ〜ク、コ〜セ参照）と、
を備えた顕微鏡システム（上記（１）ア、ウ参照）。」
　
　
２　対比
　本願発明と刊行物１発明とを対比する。
（１）撮像装置
　刊行物１発明の「顕微鏡システム」は、上記１（１）ウの記載によれば、被写体である試料を撮像するものであるから、本願発明の「撮像装置」に相当する。
　
（２）入力部
　刊行物１発明の「被写体を撮像しアナログ画像信号に変換して出力するＣＣＤ２０１」は、本願発明の「被写体を撮像し画像データとして入力する入力部」に相当する。
　
（３）画像処理部
　刊行物１発明の「当該ＣＣＤ２０１より入力されたアナログ画像に対してＲＧＢ各色成分毎に独立して利得を増幅するＡＧＣ回路２０３、ＡＣＧ回路２０３から出力されたアナログ画像信号をデジタル画像信号に変換するＡ／Ｄ変換器２０４、Ａ／Ｄ変換器から出力されたデジタル画像信号に対してガンマ変換やホワイトバランス処理等のデジタル信号処理を施すＤＳＰ回路２０５」は、本願発明の「当該入力部より入力された入力画像データに対して画像処理を施す画像処理部」に相当する。
　
（４）画像蓄積部
　刊行物１発明の「当該ＡＧＣ回路２０３、Ａ／Ｄ変換器２０４、ＤＳＰ回路２０５により処理されたデジタル画像信号を記録するバッファメモリ３０５」は、本願発明の「当該画像処理部による処理済みデータを蓄積する画像蓄積部」に相当する。
　
（５）画像処理
　刊行物１発明の「前記ＣＣＤ２０１より被写体を連続撮影して得られた複数のアナログ画像信号」は、本願発明の「前記入力部より同一被写体を連続撮像して得られた複数の入力画像データ」に相当する。また、刊行物１発明の「複数のアナログ画像信号に対して各々」ＲＧＢ各色成分毎の利得増幅度を変更することは、画像処理の内容を除き、本願発明の「複数の入力画像データに対して各々」画像処理を施すことに相当する。もっとも、画像処理の内容に関して、本願発明では「ガンマ変換係数を変更した」画像処理であるのに対し、刊行物１発明では「ＲＧＢ各色成分毎の利得増幅度を変更」する画像処理である点で相違する。
　ただし、刊行物１発明には、ＤＳＰ回路２０５がガンマ変換の画像処理を行う旨の記載はある。
　
（６）制御部
　刊行物１発明の「得られた複数のデジタル画像信号を前記バッファメモリ３０５に記録するように上記各部を制御するＣＰＵ２０７及びＣＰＵ３０１」は、本願発明の「得られた複数の処理済みデータを前記画像蓄積部に蓄積するように上記各部を制御する制御部」に相当する。
　
（７）一致点、相違点
　したがって、本願発明と刊行物１発明とは、
［一致点］
「被写体を撮像し画像データとして入力する入力部と、
　当該入力部より入力された入力画像データに対して画像処理を施す画像処理部と、
　当該画像処理部による処理済みデータを蓄積する画像蓄積部と、
　前記入力部より同一被写体を連続撮像して得られた複数の入力画像データに対して各々画像処理を施し、得られた複数の処理済みデータを前記画像蓄積部に蓄積するように上記各部を制御する制御部と、
を備えたことを特徴とする撮像装置。」の点で一致し、以下の点で相違している。
　
［相違点］
　同一被写体を連続撮像して得られた複数の入力画像データに対して各々施す画像処理が、本願発明では「ガンマ変換係数を変更した」画像処理であるのに対し、刊行物１発明では「ＲＧＢ各色成分毎の利得増幅度を変更」する画像処理である点。
　
３　判断
　上記相違点について検討する。
　デジタルカメラ等の撮像装置において、撮影した画像に対して、ガンマ変換係数を変更した画像処理を行った画像を表示し、表示を確認しながら記録すべき最終画像を決定することは周知であり（例えば、上記周知例２である特開平１０−１７８６１５号公報の段落【００１５】〜【００１６】、【００２３】〜【００３１】、【００７２】〜【００７３】等参照）、また、刊行物１発明は、撮影後の処理を不要とし、最小限の作業で最適な画像を得ることを目的とするもの（上記１（１）イ参照）である。よって、当該目的の下、刊行物１発明のＤＳＰ回路２０５におけるガンマ変換の画像処理に上記周知事項を採用し、同一被写体を連続撮像して得られた複数の入力画像データに対して各々施す画像処理を、「ガンマ変換係数を変更した」画像処理とすることは当業者が容易に想到し得たことである。
　
４　効果
　本願発明の効果は、上記刊行物１及び周知技術から当業者が予測できる範囲のものである。
　
５　まとめ（査定の検討）
　したがって、本願発明は、上記刊行物１に記載された発明及び周知技術に基づいて当業者が容易に発明をすることができたものである。
　
　
第五　むすび
　以上のとおり、本願の請求項２に係る発明は、刊行物１に記載された発明及び周知技術に基づいて当業者が容易に発明をすることができたものであるから、特許法第２９条第２項の規定により特許を受けることができない。
　したがって、本願は、残る請求項１、３ないし８に係る発明について検討するまでもなく、拒絶をすべきものである。
　よって、結論のとおり審決する。